(57)【要約】【課題】  片面に粘着剤が塗工された、床用シートを床に貼り付ける際に、床用シートに、縒れが発生せず、かつ、床の定位置から、ずれることなく、熟練者のみならず、誰もが簡単に貼り付け可能となる施工方法、および使用器具を提供すること。【解決手段】  一つ以上の直線を持つ、厚さの異なる三種類のプレートが組み合わさった構造を有し、隣り合う、厚さが最も厚いプレートと、最も薄いプレート各々の、直線部位とが、厚さが二番目に厚いプレートの一つの直線部位に、接する状態で合体した構造を有し、最も厚いプレートと二番目に厚いプレートとが蝶番で合体した構造を有する、一個、あるいは複数個の当該床用シートの仮固定具、直角二等辺三角形の当該床用シートの重り、剥離紙の引っ張り具、および、へらの４つの器具を組み合わせて、使用する施工方法。【選択図】図１
2006233727.tif 000002
【特許請求の範囲】
【請求項１】
片面に粘着剤が塗工された床用シートを床に貼る施工方法であって、剥離紙を剥がす前の当該床用シートを事前に定めた床の位置に完全に一致し、仮固定する第一工程と、剥離紙を剥がした直後の当該床用シートの角を、定めた床の位置に、完全に一致し、貼る第二工程と、当該床用シート上に、重りを設置する第三工程と、当該床用シート上にへらを動かす第四工程とを備えた、片面に粘着剤が塗工された当該床用シートを床に貼る施工方法。
【請求項２】
請求項１の片面に粘着剤が塗工された当該床用シートを床に貼る施工方法で使用する、当該床用シートの仮固定具であって、一つ以上の直線を持つ、厚さの異なる三種類のプレートが組み合わさった構造を有し、隣り合う、厚さが最も厚いプレートと、最も薄いプレート各々の、直線部位とが、厚さが二番目に厚いプレートの一つの直線部位に、接する状態で合体した構造を有し、最も厚いプレートと二番目に厚いプレートとが蝶番で合体した構造を有する、片面に粘着剤が塗工された当該床用シートを床に貼る施工法で使用する、一個、あるいは複数個の当該床用シートの仮固定具。
【請求項３】
請求項１の片面に粘着剤が塗工された、当該床用シートを床に貼る施工方法で使用する、当該床用シートの重りであって、直角二等辺三角形の面状、棒状、あるいは筒状構造で、片面に粘着剤が塗工された床用シートを床に貼る施工方法で使用する、床用シートの重り。
【発明の詳細な説明】
【技術分野】
【０００１】  本発明は、片面に粘着剤が塗工された、厚さが約３００ミクロン以下の床用シートを床に貼り付ける際に、縒れることなく、かつ、床の定位置から、ずれることなく、誰もが簡単に貼り付け可能となる施工方法、および使用器具に関するものである。
【背景技術】
【０００２】  駅やデパートなど不特定多数の人たちが訪れる施設などでは、広告掲載、案内表示、施設のデザイン変更、および内外装材の保護などを目的として、画像入り、色付き、又は透明な、当該床用シートが床材などの表面に貼り付けられている。【０００３】  当該床用シートの貼り方、および、剥離紙を剥がす前の当該床用シートを、事前に定めた、床の位置に完全に一致し仮固定する方法、および、貼り始め部位の位置合わせ方法、には様々な方法があるが、中でも以下が代表的な方法である。【０００４】  第一の貼り付け方法は、これから貼る、当該床用シートの巾方向から中心部に向かい、巾方向と平行に当該剥離紙を剥がしながら、当該床用シート上をへらなどで擦りながら、貼り付ける方法である。【０００５】  第二の貼り付け方法は、一つの角から二等辺三角形を作る要領で、当該剥離紙を少しづつ剥がしながら、当該剥離紙を剥がした時に発生する、二等辺三角形の底辺付近に位置する当該床用シート上に、へらを動かしながら、貼り付ける方法である。【０００６】  当該剥離紙を剥がす前の当該床用シートを、事前に定めた床の位置に、完全に一致し、仮固定するには、従来、仮固定する位置の床と、当該床用シートの双方に、重なるように、直接、粘着テープなどを貼り付ける方法で固定していた。【０００７】  当該床用シートの貼り始め部位を床に貼り付ける方法としては、当該床用シートの角、および、その裏面の当該剥離紙の双方に、粘着テープを貼り付け、両者を逆方向に引っ張り合う要領で、当該床用シートから、当該剥離紙を剥がした後、当該床用シートを近づけながら、貼り付けていた。
【発明の開示】
【発明が解決しようとする課題】
【０００８】  しかしながら、これらの方法は、次のような問題点があることが判明した。当該床用シートの巾方向から中心部に向け、巾方向と平行に当該剥離紙を剥がしながら、当該床用シート上をへらなどで擦りながら、貼り付ける方法は、当該床用シートの当該剥離紙を剥がす時、当該剥離紙の両端部を両手で持ち、順に剥がしていく時、当該剥離紙の左右の持ち手の力のバランスに偏りが生じるため、当該床用シートが常にピンと張った状態を保持することが、困難である。すなわち、この方法では、当該床用シートには、縒れが生じ、この状態で、へらを動かすと、気泡や、当該床用シート上に、折れが発生する。【０００９】  当該剥離紙を二等辺三角形に斜めに引っ張り、剥がす方法は、剥がす当該剥離紙の持ち手部分から、等しい二辺の各々には、力の分解作用により、均等な力が発生する。すなわち、当該床用シートはピンと張られることになり、当該剥離紙の剥がし方としては、最良の方法である。【００１０】  しかし、この方法であっても、剥がす当該剥離紙の二等辺三角形の形、すなわち、引っ張る角度が途中で変わると、その瞬間に当該床用シートは、縒れる可能性があることが、多くのテストにより判明した。【００１１】  当該剥離紙を二等辺三角形に引っ張ることにより、当該床用シートをピンと張るためには、強い力で、当該剥離紙を引っ張る必要があり、これでは、事前に、当該床用シートを仮固定した、粘着テープが剥がれる恐れがあり、当該床用シートが定めた位置から、ずれる可能性がある。【００１２】  当該床用シートの仮固定を目的とし、仮固定する位置の床と、当該床用シートの双方に重なるように、直接、粘着テープを貼ると、粘着テープを剥がす時に、当該床用シートが粘着テープにより、持ち上げられ、当該床用シートは、定位置から、ずれる可能性があることが、多くのテストにより判明した。【００１３】  また、いずれの方法であっても、当該床用シートの下部で、剥がす当該剥離紙が、ふくらむことにより、当該床用シートが押し上げられることは、当該床用シートの縒れの原因となることが、多くのテストにより判明した。【００１４】  当該剥離紙のふくらみは、当該床用シートが持ち上がることで、事前に仮固定した、粘着テープをも、押し上げ、当該床用シートが外方向にずれる可能性が高まることが、多くのテストにより判明した。【００１５】  当該床用シートと、その裏側の当該剥離紙の双方に粘着テープを貼り付け、当該床用シートから、当該剥離紙を剥がした直後に、当該床用シートを床の定めた位置に貼る時、当該床用シートに縒れが発生したり、当該床用シート自身の影により、貼り付け位置が認識しづらく、正確な位置合わせが困難であった。【００１６】  特に透明な当該床用シートの貼り付け時に、縒れが発生すると、当該床用シートが事前に定めた床の位置から、ずれるだけでなく、気泡も目立つことになるため、貼り付け作業には、かなりの熟練が不可欠であった。【００１７】  本発明は、以上の問題点を解決するためのものであり、片面に粘着剤が塗工された、当該床用シートを床に貼り付ける際に、当該床用シートに、縒れが発生せず、かつ、ずれることなく、熟練者のみならず、誰もが簡単に貼り付け可能となる施工方法、���よび使用器具に関するものである。
【発明の効果】
【００１８】  片面に粘着剤が塗工された、当該床用シートを、縒れることなく、ピンと張った状態を保持しながら、当該床用シートが事前に定めた床の位置から、ずれることなく、床に貼り付けるには、かなりの熟練が不可欠であった。【００１９】  当該床用シートが、ピンと張られた状態で、当該床用シート上で、へらを動かすことで、気泡や当該床用シートの折れも目立たなくなる。【００２０】  本発明の方法及び器具を用いることで、当該床用シートの直角二等辺三角形の重りと、剥がす剥離紙の角度を、常に確認しながら、当該剥離紙を引っ張り、剥がすことが出来るようになると共に、当該直角二等辺三角形の重りにより、当該剥離紙のふくらみを防止できるため、当該床用シートの縒れを防止することを可能とした。【００２１】  一つ以上の直線を持つ、厚さの異なる三種類のプレートが組み合わさった構造を有し、隣り合う、厚さが最も厚いプレートと、最も薄いプレート各々の、直線部位とが、厚さが二番目に厚いプレートの一つの直線部位に、接する状態で合体した構造を有し、最も厚いプレートと二番目に厚いプレートとが蝶番で合体した構造を有する、片面に粘着剤が塗工された当該床用シートを床に貼る施工方法で使用する、一個、あるいは複数個の当該床用シートの仮固定具、および粘着テープにより、当該床用シートを床の定位置に仮固定することで、当該床用シートが床の定位置から、ずれることを防止することを可能とした。【００２２】  以上のように、片面に粘着剤が塗工された当該床用シートを、縒れることなく、ピンと張り続けながら、へらを用いた、床への貼り付けを可能とし、かつ、当該床用シートが事前に定めた床の位置から、ずれることなく、誰もが簡単に貼り付け作業を実施できるようになる。【００２３】  例えば、表面にワックスが塗工された粘着剤付きの当該床用シートを、誰もが簡単に床材表面に貼ることも可能となり、従来は専門家によって行われてきた、ワックス施工の代替え方法ともなり得る。
【発明を実施するための最良の形態】
【００２４】  以下、本発明の実施形態の一例を図面に基づいて詳細に説明する。
片面に粘着剤が塗工された、当該床用シートを床に貼る、施工方法であって、図１は、既に床に貼ってある、当該床用シート３に接する状態で、当該剥離紙を剥がす前の当該床用シート１を、床２の定位置に、完全に一致し、仮固定する、仮固定具４、および５と、当該剥離紙を剥がした直後の、当該床用シート１の一つの角６を、定めた床の位置に、完全に一致し、貼るための剥離紙の引っ張り具７と、当該床用シート１上に、乗せて、使用する、直角二等辺三角形の重り８と、へら９とを順次活用し、当該床用シート１を床２に貼っている、図である。【００２５】  図２は、当該床用シート１の仮固定具の部品である、プレート４ａ、４ｂ、４ｃ、蝶番４ｄを示している図である。【００２６】  図３は、床用シートの仮固定具を側面から見た図を示しており、仮固定具を構成する三種類のプレートの厚みは、４ｂが、４ａ、４ｃより厚く、４ａは４ｃより厚い構造となっており、プレート４ｂの厚さ部位１０は、蝶番で上下に移動することで、既に床に貼ってあるシート３の断面１１に、一致させるために存在し、両面接着テープ１２は、プレート４ａと当該床用シート３とを固定する目的と、これから床に貼る当該床用シート１が１３方向にずれないために存在する。当該両面接着テープ１２は、これから貼る、当該床用シート１よりも薄くすることで、貼り付け中の床用シート１の１３方向へのずれを防止する効果がある。【００２７】  図４は、床用シートの重り８を示しているが、直角二等辺三角形の棒状の構造で構成されている。
【実施例】
【００２８】  図５〜図１３は、本発明に係わる、当該床用シートの施工方法、および使用器具の実施例を時系列順に示しており、以下、これについて説明する。【００２９】  図５は、当該床用プレートの仮固定具を示しており、既に床に貼ってあるシート３の高さ部位１４ａと仮固定具の中で、最も厚みがある、プレート４ｂの高さ部位とが接することで、既に貼ってあるシート３とこれから貼るシート１の貼り合わせ部位１４ｂとが完全に一致することになる。【００３０】  図６は、プレート４ｂにより、貼り合わせ部位１４ａを完全に一致させた後、蝶番４ｄにより、上に移動させた後、プレート４ａを粘着テープ４ｅにより、当該床３に仮固定した図である。【００３１】  図７は、プレート４ｃを粘着テープ４ｆにより、当該床１に、仮固定した図である。【００３２】  図８は、床２に設置した、当該床用シート１であり、床上の４点１５，１６，１７，１８と当該床用シート上の４角である、１９，２０，２１，２２とが各々、１５と１９、１６と２０、１７と２１、１８と２２の通り、一致して、設置されている図を示している。【００３３】  図９は、当該床用シートを側面から見た図を示しており、当該床用シートの表層２３、粘着剤層２４、剥離紙２５にて構成されている。【００３４】  図１０は、当該床用シート１が床２の定めた位置に、完全に一致し、動かないように、プレート４ａ、４ｃが、粘着テープ４ｅ、４ｆにて、床２に仮固定された図を示している。【００３５】  図１１は、剥がした直角二等辺三角形の剥離紙２６と当該剥離紙を引っ張るための、引っ張り具７とが粘着テープ２７により合体したことを示す図であり、当該床用シート上の角に貼った粘着テープ２８を手で持ち、床２の定位置に貼り付けている図である。【００３６】  図１２は、引っ張り具７を２９の方向に、引っ張ることで、剥離紙２６が直角二等辺三角形を常に保持しながら、剥がされている図を示している。【００３７】  図１３は、当該直角二等辺三角形の重り８を当該床用シート１の上に乗せることで、当該剥離紙２６のふくらみを防止し、当該床用シート１の縒れを防いでいる。剥がした剥離紙の一辺３０は、当該直角二等辺三角形の重りの一辺３１と、常に平行になるように、引っ張りながら、剥がしている。これは、当該剥離紙２６を剥がす時の指標として活用されている。当該剥離紙３２を引っ張る時には、常に、これらの指標を確認しながら、行うことで、床用シート１の縒れを防止する効果を表している。当該剥離紙３２を剥がす時に発生する、二等辺三角形の形２６が、剥がす途中で、変化すると、当該床用シート１は縒れやすくなることが、多くの実験により判明したためである。当該床用シートの重り８、を直角二等辺三角形とした理由は、剥がした当該剥離紙２６により発生する、二等辺三角形の底辺部分３３のふくらみを防止するだけでなく、床用シート１の端部の直線３４と、剥がした、当該剥離紙３２が交差する、直線部位３５の、当該剥離紙による、ふくらみを防止する効果もある。角度を直角にした理由は、様々なテストの結果、二等辺三角形の中でも、直角二等辺三角形が最も安定し、縒れの発生が少ないことが判明したためである。
【図面の簡単な説明】
【００３８】
【図１】  本発明の使用状態を示す平面図
【図２】  本発明の床用シート仮固定具の使用状態を示す平面図
【図３】  本発明の床用シート仮固定具の側面図
【図４】  本発明の直角二等辺三角形の重りを示す平面図
【図５】  本発明の床用シート仮固定具の使用状態を示す平面図
【図６】  本発明の床用シート仮固定具の使用状態を示す平面図
【図７】  本発明の床用シート仮固定具の使用状態を示す平面図
【図８】  床用シートを床の定位置に一致させていることを示す図面
【図９】  床用シートの側面図
【図１０】  本発明の床用シート仮固定具の使用状態を示す平面図
【図１１】  剥離紙を剥がす引っ張り具を示す平面図
【図１２】  剥離紙を剥がす引っ張り具の使用状態を示す平面図
【図１３】  本発明の三角形の重りの使用状態を示す平面図
【符号の説明】
【００３９】１            床用シート
２            床
３            床用シート
４            仮固定具
４ａ          仮固定具の部品
４ｂ          仮固定具の部品
４ｃ          仮固定具の部品
４ｄ          仮固定具の部品
４ｅ          粘着テープ
４ｆ          粘着テープ
５            仮固定具
６            床用シートの角部位
７            引っ張り具
８            三角形の重り
９            へら
１０          仮固定具部品の厚さ部位
１１          床用シートの高さ部位
１２          両面粘着テープ
１３          床用シートがずれる方向を示す矢印
１４ａ        床用シート端部の直線部位
１４ｂ        床用シートの貼り合わせ部位
１５          床上の点
１６          床上の点
１７          床上の点
１８          床上の点
１９          床用シート上の点
２０          床用シート上の点
２１          床用シート上の点
２２          床用シート上の点
２３          床用シートの表層
２４          粘着剤層
２５          剥離紙
２６          剥離紙
２７          粘着テープ
２８          粘着テープ
２９          引っ張り具を引っ張る方向を示す矢印
３０          剥離紙の一辺
３１          三角形の重りの一辺
３２          剥離紙
３３          三角形重りの底辺
３４          床用シートの端部
３５          剥離紙と床用シート端部が交差する直線部位
【図１】
2006233727.tif 000003
【図２】
2006233727.tif 000004
【図３】
2006233727.tif 000005
【図４】
2006233727.tif 000006
【図５】
2006233727.tif 000007
【図６】
2006233727.tif 000008
【図７】
2006233727.tif 000009
【図８】
2006233727.tif 000010
【図９】
2006233727.tif 000011
【図１０】
2006233727.tif 000012
【図１１】
2006233727.tif 000013
【図１２】
2006233727.tif 000014
【図１３】
2006233727.tif 000015